(57)【要約】【目的】始動時から高回転域に至るまでイオン電流の変化情報をきめ細かく収集して、点火時期や空燃比を制御するシステムに対して、ＡＴＤＣ１５度程度からの判別時間を確保する一方、広域回転数に渡って、最大限の点火エネルギーを確保できるイオン電流検出装置を提供する。【解決手段】点火コイルの一方の端子に電源を備えた一次線輪の途中に少なくとも一個のタップ端子を備え、上記一次線輪のタップ端子と他方の端子の各々にスイッチング素子を備え、さらに上記点火コイルの二次線輪に点火プラグとイオン電流検出装置を備え、内燃機関の回転数に応じて上記スイッチング素子の動作を切り替える構成する。【選択図】図１
2007009890.tif 000002
【特許請求の範囲】
【請求項１】
点火コイルの一方の端子に電源を備えた一次線輪の途中に少なくとも一個のタップ端子を備え、上記一次線輪のタップ端子と他方の端子の各々にスイッチング素子を備え、さらに上記点火コイルの二次線輪に点火プラグとイオン電流検出装置を備え、内燃機関の回転数に応じて上記スイッチング素子の動作を切り替える構成としたことを特徴とするイオン電流検出装置を備える点火装置。
【請求項２】
内燃機関の回転数が低いときには一次線輪の端部である他方の端子に備えたスイッチング素子が動作し、回転数が高いときには上記一次線輪のタップ端子に備えたスイッチング素子が動作する構成としたことを特徴とする請求項１に記載のイオン電流検出装置を備える点火装置。
【請求項３】
点火コイルの放電持続時間が内燃機関のアイドル回転数の時には２．５ｍｓ以上であり、高回転数の時には１．０ｍｓ以下であることを特徴とする請求項１および請求項２に記載のイオン電流検出装置を備える点火装置。
【請求項４】
イオン電流検出回路の検出開始時間を少なくとも内燃機関実用回転域においてＡＴＤＣ（圧縮上死点後）１５度程度としたことを特徴とする請求項１及至請求項３に記載のイオン電流検出装置を備える点火装置。
【請求項５】
点火コイルの磁気回路が閉磁路の鉄心構造からなることを特徴とする請求項１及至請求項４に記載のイオン電流検出装置を備える点火装置。
【発明の詳細な説明】
【技術分野】
【０００１】
この発明は排気ガス対策や燃費向上のために有効な燃料直噴内燃機関などに要求される高出力エネルギー内燃機関点火装置、特に気筒内に燃焼状態に応じて発生するイオン電流を検出する手段を備えた点火装置に関する。
【背景技術】
【０００２】
従来より、内燃機関点火装置は近年の排気ガス対策や燃費向上のための高圧縮リーン燃焼に適合するために、高エネルギーの点火装置が求められている。一方、内燃機関の燃焼状態検出装置は、連続的な失火を検出し、内燃機関の取り扱い者に警告を示すために、失火時における内燃機関の回転数の変動をセンサにて検知する回転変動方式の失火検出機能が提案されている。
【０００３】
また、イオン電流による内燃機関の燃焼状態検出装置は、回転変動方式では失火検出精度が落ちる多気筒エンジンにおいても優れた失火検出性を示し、気筒毎の失火検出も可能であると同時に点火時期やノック制御などに従来より種々提案されているが、一般的な高エネルギー点火装置は一般的に放電持続時間が長いことから、イオン検出時間が制約されるために相性が悪い。
【０００４】
従来の電流遮断方式の内燃機関点火装置の出力放電電流波形は略三角波が得られ、汎用点火コイルでは二次線輪のインダクタンスと漏洩キャパシタンスの値でその形態が設定できる。すなわち二次線輪の巻回数が少ない時には放電電流の最大値が大きいが、放電持続時間が短くなり、巻回数が多い時にはその反対の放電電流が得られる。そして渦流の強い燃焼が行われる直噴内燃機関などにおいては、上記三角波の後半の電流は乱れが大きくなることにより、燃料の点火に殆ど寄与しない。
【０００５】
また、従来の電流遮断方式の内燃機関点火装置に、イオン電流による燃焼状態検出装置を付加するものでは、放電初期の点火エネルギーの一部をキャパシタに一次的に蓄積して、放電終了後のイオン検出電源として利用している。
【０００６】
上記イオン検出電源の電圧は、一般的に７０Ｖ〜３００Ｖ程度の範囲で使用されることが多く、電圧が高いほどイオン検出のＳＮ比が高くなり設計自由度が上がるが、当該電圧を上げると本来放電に必要な点火装置のエネルギーが損なわれることとなる。
【発明の開示】
【発明が解決しようとする課題】
【０００７】
近年の排気ガス対策では、内燃機関の始動時から高回転域に至るまでイオン電流の変化情報をきめ細かく収集して、点火時期や空燃比を制御するシステムが望まれているために、上記のイオン電流での燃焼悪化状態やノッキングを検出するには上死点を過ぎてから１５度程度以後がイオン電流判別の重要な時間帯であることが確かめられてきたが、当該判別時間を確保する一方では、リーン燃料での燃料直噴内燃機関などに対応するために、イオン電流による制御以前の問題として高出力エネルギーの点火装置が望まれているが、汎用の高出力エネルギーの点火装置を用いた場合は、火花放電時間が長くなり、イオン電流検出に必要な十分な時間が取れないと云う問題があった。
【０００８】
前述したように電流遮断方式の点火装置では、点火コイルの二次線輪の巻回数で放電電流の多少の設定ができるが、何れも放電初期には放電電流が比較的大きい三角波で有って、渦流の強い燃焼が行われる直噴内燃機関などにおいては、上記三角波の後半の電流は乱れが大きくなることにより、放電電流や放電時間の制御は限られた物となっている。
【課題を解決するための手段】
【０００９】
上記課題を解決するために、本発明では次のような構成とする。請求項１においては、点火コイルの一方の端子に電源を備えた一次線輪の途中に少なくとも一個のタップ端子を備え、上記一次線輪のタップ端子と他方の端子の各々にスイッチング素子を備え、さらに上記点火コイルの二次線輪に点火プラグとイオン電流検出装置を備え、内燃機関の回転数に応じて上記スイッチング素子の動作を切り替える構成としたことを特徴とするイオン電流検出装置を備える点火装置とすることによって、機関回転数に適合した点火コイルの出力エネルギー設計の自由度を大幅に改善して、課題解決を図ったものである。
【００１０】
この発明の請求項２に係るイオン電流検出装置を備える点火装置では、内燃機関の回転数が低いときには一次線輪の端部である他方の端子に備えたスイッチング素子が動作し、回転数が高いときには上記一次線輪のタップ端子に備えたスイッチング素子が動作する構成とすることで、汎用の点火コイル設計仕様に適合させたものである。
【００１１】
この発明の請求項３に係るイオン電流検出装置を備える点火装置では、点火コイルの放電持続時間が内燃機関のアイドル回転数の時には２．５ｍｓ以上であり、高回転数の時には１．０ｍｓ以下とすることで、内燃機関の各々の回転数に応じたイオン検出時間を確保してその回転数での点火エネルギーを最大限確保する構成としたものである。
【００１２】
同様にこの発明の請求項４に係るイオン電流検出装置を備える点火装置では、イオン電流検出回路の検出開始時間を少なくとも内燃機関実用回転域においてＡＴＤＣ（圧縮上死点後）１５度程度とすることで、内燃機関の各々の回転数に応じたイオン検出時間を確保してその回転数での点火エネルギーを最大限確保する構成としたものである。
【００１３】
この発明の請求項３に係るイオン電流検出装置を備える点火装置では、点火コイルの磁気回路が閉磁路の鉄心構造とすることで、点火エネルギーと放電持続時間の制御範囲を広げたものである。
【発明の効果】
【００１４】
この発明によれば、近年の燃費と排気ガス対策で要求されているリーン混合気での燃料直噴内燃機関などに対応するために、高出力エネルギーの点火装置が望まれているが、高出力エネルギーの点火コイルの一次線輪の途中にタップ端子を設けて、スイッチング素子を追加したことで内燃機関の始動時から高回転域に至るまでイオン電流の変化情報をきめ細かく収集して、点火時期や空燃比を制御するシステムに対して、イオン電流での燃焼悪化状態やノッキングを検出するために必要なＡＴＤＣ１５度程度からの判別時間を確保する一方、低回転数から高回転数までの広域に渡って、最大限の点火エネルギーを確保できるイオン電流検出装置を備える点火装置を得ることが出来るものである。
【実施例】
【００１５】
第１図は請求項の全てに記載したこの発明の実施例であり、第２図のグラフは実施例の動作を説明するためのもので、第２図のグラフ上段は機関回転数を横軸に放電持続時間を縦軸に示す図であり、グラフ下段は機関回転数を横軸に点火出力電圧を縦軸に示す図である。なお、内燃機関は通常多気筒で使用されるが、説明の都合上、一気筒での実施例としている。
【００１６】
第１図において、電源１は点火コイル２の一次線輪１００の一方の端子１０１に接続され、上記一次線輪１００の他方の端子は第一のスイッチング素子３に接続され、また上記一次線輪１００の巻回途中にはタップ端子１０３を備え、当該タップ端子には第二のスイッチング素子４が接続され、上記第一と第二の各々のスイッチング素子の制御端子はドライブ回路５に接続されている。また、点火コイル２の二次線輪２００の高圧側端子２０１は点火栓６に接続され、上記二次線輪２００の低圧側端子２０２は定電圧ダイオード７に分路されたキャパシタ８とダイオード９によって分路されたイオン電流を検出するレジスタ１０の直列回路を介してイオン電流検出装置１１の入力端子に接続されており、当該入力端子には保護ダイオード１２が接続されている。そして上記ドライブ回路５とイオン電流検出装置１１は、内燃機関制御ＥＣＵ１３に接続されている。
【００１７】
内燃機関の始動時からアイドル回転時に、ＥＣＵ１３からの点火指令により、ドライブ回路５から点火タイミングに点火コイル２の一次線輪１００の通電電流が８Ａ程度になる時間前に、スイッチング素子３にオン信号を送信すると同時に、上記点火タイミングにスイッチング素子３にオフ信号を送信すると、上記電流によって点火コイル２に蓄積された誘導エネルギーが二次線輪２００の低圧側端子２０２をプラス、高圧側端子２０１をマイナス電位の４０ＫＶ程度の高電圧を発生しながら放電する。
【００１８】
当該高電圧によって、点火栓６に放電を開始した放電電流は燃料に点火すると同時に、定電圧ダイオード７によって定まる電圧例えば１７０Ｖの電荷をキャパシタ８に蓄積する。その後、上記点火栓６での放電電流は例えばピーク電流１００ｍＡで順次低減し、３ｍｓ程度の放電持続時間が終了する間に、気筒内の点火火炎核は十分に拡がりを見て、燃焼イオンを発生する。当該イオンは上記キャパシタ８の電荷電圧が点火栓６の電極両端部に印加されていることにより燃焼状態に応じたイオン電流が流れ、レジスタ１０を介してイオン検出装置１１に取り込まれた後、ＥＣＵ１３で情報処理される。
【００１９】
上記、イオン電流の変化を捉えるイオン検出装置１１によってＥＣＵ１３に送られた信号により、内燃機関の失火やノックの検出は勿論、燃焼圧力や空燃比のリーン限界を捉えて、排気ガス低減や燃費向上に役立てられる。
【００２０】
上記イオン電流情報を有効に検出するためには、イオン電流検出開始時間を少なくとも内燃機関の実用回転域において、ＡＴＤＣ１５度程度から観測することが必要であり、そのために点火放電時間は、内燃機関のアイドル回転数８００rpm程度では、２．５ms以上、回転数の高い６０００rpm程度では１．０ms以内の勾配を有する放電時間程度で終了することが要求される。
【００２１】
内燃機関の回転数が高くなると上記放電持続時間を短くする必要性から、点火コイル２の一次線輪１００に蓄積するエネルギーを小さくするために、回転数の増加に従って第一のスイッチング素子３のオフ時電流を８Ａから順次５Ａ程度まで低減することで実現できるが、上記オフ時電流の低減と同時に二次線輪２００に誘起される出力電圧も下がってくる。従って、内燃機関の要求出力電圧の限界を下回る前の回転数になると、ドライブ回路５は第一のスイッチング素子３の動作を停止すると同時に、第二のスイッチング素子４の動作に切り替えるように予めプログラムされている。
【００２２】
点火動作が第二のスイッチング素子４に切り替わると、点火コイル２の一次線輪１００のタップ端子１０３までの巻回数と通電電流によって定まる誘導エネルギーに低減し、放電電流のピーク値は低く、放電持続時間は短くなるが、二次線輪２００との巻数比が高くなることにより、点火出力電圧は巻数比に応じて高くなる。
【００２３】
上記機関回転数と各々のスイッチング素子の切り替えた時の放電持続時間と出力電圧の各々の特性を第２図のグラフに示している。
【００２４】
上記実施例では、一次線輪１００にタップ端子１０３の一個しか設けなかったが、タップ端子とスイッチング素子を複数個設けることにより、第２図に示される特性曲線を、切り替え時の差異を小さく滑らかにすることが出来る。
【００２５】
上記実施例での放電持続時間は、通常の点火コイルの放電持続時間の１．５ｍｓ程度より極めて大きな３ｍｓ程度としたが、当該放電持続時間は近未来の燃料直噴内燃機関の要求特性と考えられ、例えば１６０?程度の断面積を有する閉磁路鉄心を用いた点火コイルが設計効率が良いことが確かめられた。この場合にもバイアス磁石を用いると小型軽量化できることは云うまでもない。
【００２６】
なお各々のスイッチング素子Ｑ１がオンとなることにより、電源１から供給される電圧、例えば１４Ｖが一次線輪１００に印加され、二次線輪２００の高電圧側を正極にした電圧が誘起されるが、ダイオード９に一部ブロックされ、また、レジスタ１０の値が大きいこともあって、点火栓６に放電するに必要な１ｋＶ以上の電圧は点火栓６の電極両端に発生しない設定としている。
【００２７】
上記実施例のイオン検出装置１１に接続される検出レジスタ１０は、二次線輪２００の低電圧側に接続したが、周知の高電圧側に接続する構成で有っても当該発明は有効である。
【００２８】
また、各々のスイッチング素子３および４に電流制限回路や一次線輪１００の逆起電力制限のための保護素子を付加できることは説明するまでもない。また、スイッチング素子は、通常のトランジスタやＩＧＢＴなど適宜選択することが出来る。
【図面の簡単な説明】
【００２９】
【図１】発明の実施例を示す図
【図２】第１図の発明の実施例の動作特性を示すグラフ
【符号の説明】
【００３０】
１  電源
２  点火コイル
３、４  スイッチング素子
５  ドライブ回路
６  点火栓
７  定電圧ダイオード
８  キャパシタ
９  ダイオード
１０  レジスタ
１１  イオン電流検出装置
１２  保護ダイオード
１３  ＥＣＵ
１００  一次線輪
１０１  端子
１０３  タップ端子
２００  二次線輪
２０１  高圧側端子
２０２  低圧側端子
【図１】
2007009890.tif 000003
【図２】
2007009890.tif 000004